(57)【要約】      （修正有）【課題】一対の駆動アームのワイヤ接続孔に各々挿通されて係合する一対の操作ワイヤの先端部分どうしが接触し合うおそれがなくて、作動不良や電気的ショート等が発生することのない内視鏡用嘴状処置具を提供すること。【解決手段】シース内に挿通配置された一対の操作ワイヤの先端部分２ａが、一対の駆動アーム７に各々形成されたワイヤ接続孔８に個別に挿通されて係合した構成を備え、操作ワイヤを軸線方向に進退操作することにより、一対の駆動アーム７が各々支軸５を中心に回動して一対の先端開閉片が嘴状に開閉するように動作する内視鏡用嘴状処置具において、一対の先端開閉片が前方から見て上下方向に開閉する向きのときに、一対の駆動アーム７が左右に互いに分離された領域に位置するように配置されると共に、ワイヤ接続孔８は、その軸線が各駆動アーム７の回動方向を含む面上に位置する向きに形成されている。【選択図】図１
2009153535.tif 000002
【特許請求の範囲】
【請求項１】
シースの先端に配置された支軸に一対の先端開閉片が前方に向かって嘴状に開閉自在に支持されると共に、上記各先端開閉片を開閉駆動するための一対の駆動アームが上記各先端開閉片と一体に上記支軸より後方位置まで延出して形成され、上記シース内に挿通配置された一対の操作ワイヤの先端部分が、上記一対の駆動アームに各々形成されたワイヤ接続孔に個別に挿通されて係合した構成を備え、上記操作ワイヤを軸線方向に進退操作することにより、上記一対の駆動アームが各々上記支軸を中心に回動して上記一対の先端開閉片が前方に向かって嘴状に開閉するように動作する内視鏡用嘴状処置具において、
上記一対の先端開閉片が前方から見て上下方向に開閉する向きのときに、上記一対の駆動アームが左右に互いに分離された領域に位置するように配置されると共に、
上記ワイヤ接続孔は、その軸線が上記各駆動アームの回動方向を含む面上に位置する向きに形成されていることを特徴とする内視鏡用嘴状処置具。
【請求項２】
上記一対の先端開閉片どうしが電気的に互いの間が絶縁されると共に、上記一対の操作ワイヤが、電気的に互いの間が絶縁された一対の導電線により形成されている請求項１記載の内視鏡用嘴状処置具。
【発明の詳細な説明】
【技術分野】
【０００１】
この発明は内視鏡用嘴状処置具に関する。
【背景技術】
【０００２】
内視鏡用嘴状処置具は一般に、シースの先端に配置された支軸に一対の先端開閉片が前方に向かって嘴状に開閉自在に支持されると共に、各先端開閉片を開閉駆動するための一対の駆動アームが各先端開閉片と一体に形成されて支軸より後方まで突出形成され、シース内に挿通配置された操作ワイヤを軸線方向に進退操作することにより、一対の駆動アームが各々支軸を中心に回動して一対の先端開閉片が前方に向かって嘴状に開閉するようになっている。
【０００３】
旧来、そのような内視鏡用嘴状処置具においては、操作ワイヤと駆動アームとの間にリンク機構が介在していてその部分が全体としてパンタグラフ状に形成されていた。しかし、そのような構成では製造コストが非常に高くついてしまうため、操作ワイヤを二本一束に配置して、その先端を一対の駆動アームに各々形成したワイヤ接続孔に直接係合させるように改良されてきている（例えば、特許文献１、２）。
【特許文献１】特開２００１−２４５８９１
【特許文献２】特開２００１−３２１３８５
【発明の開示】
【発明が解決しようとする課題】
【０００４】
内視鏡用嘴状処置具の殆どは、一対の先端開閉片が前方から見て上下方向に開閉する向きのときに、一対の駆動アームが、互いに干渉しないように左右に分離された領域に位置するように配置されている。
【０００５】
しかし、特許文献１、２等に記載された従来の内視鏡用嘴状処置具においては、ワイヤ接続孔が駆動アームを左右方向に貫通する向きに形成されているので、そこに係合する操作ワイヤの先端部分が他方の領域に飛び出して他方の駆動アームや操作ワイヤと接触して作動不良を起こす場合があった。
【０００６】
また、一対の先端開閉片どうしの間及び一対の操作ワイヤどうしの間が電気的に絶縁された構成のいわゆるバイポーラ型の内視鏡用高周波処置具においては、操作ワイヤ先端部分の絶縁被覆が擦れ合うことにより次第に剥がれて電気的なショートが発生するおそれがあった。
【０００７】
本発明は、一対の駆動アームのワイヤ接続孔に各々挿通されて係合する一対の操作ワイヤの先端部分どうしが接触し合うおそれがなくて、作動不良や電気的ショート等が発生することのない内視鏡用嘴状処置具を提供することを目的とする。
【課題を解決するための手段】
【０００８】
上記の目的を達成するため、本発明の内視鏡用嘴状処置具は、シースの先端に配置された支軸に一対の先端開閉片が前方に向かって嘴状に開閉自在に支持されると共に、各先端開閉片を開閉駆動するための一対の駆動アームが各先端開閉片と一体に支軸より後方位置まで延出して形成され、シース内に挿通配置された一対の操作ワイヤの先端部分が、一対の駆動アームに各々形成されたワイヤ接続孔に個別に挿通されて係合した構成を備え、操作ワイヤを軸線方向に進退操作することにより、一対の駆動アームが各々支軸を中心に回動して一対の先端開閉片が前方に向かって嘴状に開閉するように動作する内視鏡用嘴状処置具において、一対の先端開閉片が前方から見て上下方向に開閉する向きのときに、一対の駆動アームが左右に互いに分離された領域に位置するように配置されると共に、ワイヤ接続孔は、その軸線が各駆動アームの回動方向を含む面上に位置する向きに形成されているものである。
【０００９】
なお、一対の先端開閉片どうしが電気的に互いの間が絶縁されると共に、一対の操作ワイヤが、電気的に互いの間が絶縁された一対の導電線により形成されていてもよい。
【発明の効果】
【００１０】
本発明によれば、ワイヤ接続孔は、その軸線が各駆動アームの回動方向を含む面上に位置する向きに一対の駆動アームに各々形成されているので、そこに挿通された一対の操作ワイヤの先端部分どうしが接触し合うおそれがなく、したがって操作ワイヤの先端部分どうしの接触に起因する作動不良が発生せず、バイポーラ型の内視鏡用高周波処置具においては電気的ショート等が発生し難い格別の効果を奏する。
【発明を実施するための最良の形態】
【００１１】
シースの先端に配置された支軸に一対の先端開閉片が前方に向かって嘴状に開閉自在に支持されると共に、各先端開閉片を開閉駆動するための一対の駆動アームが各先端開閉片と一体に支軸より後方位置まで延出して形成され、シース内に挿通配置された一対の操作ワイヤの先端部分が、一対の駆動アームに各々形成されたワイヤ接続孔に個別に挿通されて係合した構成を備え、操作ワイヤを軸線方向に進退操作することにより、一対の駆動アームが各々支軸を中心に回動して一対の先端開閉片が前方に向かって嘴状に開閉するように動作する内視鏡用嘴状処置具において、一対の先端開閉片が前方から見て上下方向に開閉する向きのときに、一対の駆動アームが左右に互いに分離された領域に位置するように配置されると共に、ワイヤ接続孔は、その軸線が各駆動アームの回動方向を含む面上に位置する向きに形成されている。
【実施例】
【００１２】
以下、図面を参照して本発明の実施例を説明する。
図３は、本発明の第１の実施例の内視鏡用嘴状処置具の先端付近の側面断面図、図４は平面図である。図示されていない内視鏡の処置具挿通チャンネルに挿脱される可撓性のシース１は、例えば四フッ化エチレン樹脂チューブ等により形成されている。シース１内には、例えばステンレス鋼線材等からなる一対の操作ワイヤ２が全長にわたって緩く挿通配置されている。
【００１３】
シース１の先端に固定的に取り付けられた硬質部材からなる支持本体３は、先端側に開口するスリット４により、後端付近を除いて全体が左右に二分割された形状に形成されている。
【００１４】
支持本体３の先端近傍には、スリット４を横断する状態に支軸５が取り付けられていて、生検鉗子カップ状の一対の先端開閉片６が前方に向かって嘴状に開閉自在に支軸５に支持されている。
【００１５】
各先端開閉片６には、その先端開閉片６を開閉駆動するための一対の駆動アーム７が支軸５より後方位置まで延出する状態に先端開閉片６と一体に形成されていて、操作ワイヤ２の先端部分２ａを係合連結させるためのワイヤ接続孔８が各駆動アーム７の後端近傍に形成されている。
【００１６】
一対の操作ワイヤ２の先端部分２ａは一対のワイヤ接続孔８に個別に挿通されて係合しており、操作ワイヤ２が基端側から軸線方向に進退操作されると、一対の駆動アーム７が支軸５を中心に回動して、一対の先端開閉片６が前方に向かって嘴状に開閉する。図５はそのようにして一対の先端開閉片６が開いた状態を示している。
【００１７】
一対の駆動アーム７は、一対の先端開閉片６が前方から見て上下方向に開閉する向きのときに、図４及び図５におけるＩ−Ｉ断面を図示する図１に示されるように、中央を境に右と左の互いに分離された領域に位置するように配置されている。
【００１８】
そして、前出の各図や、一部の部材だけを抜き出した斜視図である図２等にも示されるように、各ワイヤ接続孔８は、その軸線が各駆動アーム７の回動方向を含む面上（即ち、図１に示されるＡ−Ａ面上及びＢ−Ｂ面上）に位置する向きに駆動アーム７を貫通して形成され、操作ワイヤ２の先端部分２ａがワイヤ接続孔８に対し内側から（即ち、支持本体３の中心軸線位置側から）通されて、ワイヤ接続孔８から抜け出せないように端部が小さく丸められた状態に曲げられている。
【００１９】
その結果、一対の操作ワイヤ２の各先端部分２ａは駆動アーム７と同様に右左に完全に分離された領域に位置しているので、操作ワイヤ２が進退操作されて一対の駆動アーム７が支軸５を中心に回動したときでも操作ワイヤ２の先端部分２ａどうしが接触せず、操作ワイヤ２の先端部分２ａどうしの接触に起因する作動不良が発生するおそれがない。
【００２０】
なお、本発明は上記実施例に限定されるものではなく、例えば図６に示される第２の実施のように、シース１が金属細線を一定の径で密着巻きしたコイルパイプで形成されたものであってもよく、図７に示される第３の実施例のように、操作ワイヤ２の先端部分２ａをワイヤ接続孔８の径より大きく形成することによりワイヤ接続孔８から抜け出さないように形成したものであってもよい。
【００２１】
また、図８に示される第４の実施例のように、一対の操作ワイヤ２がシース１内で捩じり合わされていてもよく、このようにすると操作ワイヤ２の進退操作に対する先端開閉片６の開閉動作の追従性が向上する。また、図９に示される第５の実施例のように、操作ワイヤ２の先端部分２ａをワイヤ接続孔８に対し外方から通すようにしてもよい。
【００２２】
図１０に示される第６の実施例は、本発明をバイポーラ型の内視鏡用高周波処置具に適用したものであり、一対の先端開閉片６が公知の構造により電気的に互いに絶縁され、一対の操作ワイヤ２は共に導電線により形成されて、少なくとも一方（ここでは双方）の操作ワイヤ２に電気絶縁被覆が施されている。
【００２３】
そして、操作ワイヤ２の先端部分２ａが、各先端開閉片６から延出する駆動アーム７の後端付近に形成されたワイヤ接続孔８に通されてそこに係合連結されている。駆動アーム７及び操作ワイヤ２の先端部分２ａの配置等は、図１等に示される第１の実施例と同じである。
【００２４】
このように、本発明をバイポーラ型の内視鏡用高周波処置具に適用すると、一対の操作ワイヤ２の先端部分２ａどうしの接触に起因する作動不良が発生しないだけでなく、一対の導電性の操作ワイヤ２間の電気的ショート等も発生し難くなる効果がある。
【００２５】
図１１に示される第７の実施例は、第６の実施例の構成に加えて、一対の操作ワイヤ２をシース１内で捩じり合わせて先端開閉片６の開閉動作の追従性を向上させたものである。このように、本発明においては、上記の各実施例の構成を適宜に組み合わせたものであってもよく、さらにその他の実施態様をとることもできる。
【図面の簡単な説明】
【００２６】
【図１】本発明の第１の実施例の内視鏡用嘴状処置具の支軸位置における正面断面図（図５におけるＩ−Ｉ断面図）である。
【図２】本発明の第１の実施例の内視鏡用嘴状処置具の駆動アームと操作ワイヤの先端部分との接続部の一部の部材だけを抜き出して示す部分斜視図である。
【図３】本発明の第１の実施例の内視鏡用嘴状処置具の先端付近の側面断面図である。
【図４】本発明の第１の実施例の内視鏡用嘴状処置具の先端付近の平面図である。
【図５】本発明の第１の実施例の内視鏡用嘴状処置具の先端開閉片が開いた状態の先端付近の側面断面図である。
【図６】本発明の第２の実施例の内視鏡用嘴状処置具の先端付近の側面断面図である。
【図７】本発明の第３の実施例の内視鏡用嘴状処置具の先端付近の側面断面図である。
【図８】本発明の第４の実施例の内視鏡用嘴状処置具の先端付近の側面断面図である。
【図９】本発明の第５の実施例の内視鏡用嘴状処置具の先端付近の側面断面図である。
【図１０】本発明の第６の実施例の内視鏡用嘴状処置具の先端付近の側面断面図である。
【図１１】本発明の第７の実施例の内視鏡用嘴状処置具の先端付近の側面断面図である。
【符号の説明】
【００２７】
１  シース
２  操作ワイヤ
２ａ  先端部分
３  支持本体
５  支軸
６  先端開閉片
７  駆動アーム
８  ワイヤ接続孔
【図１】
2009153535.tif 000003
【図２】
2009153535.tif 000004
【図３】
2009153535.tif 000005
【図４】
2009153535.tif 000006
【図５】
2009153535.tif 000007
【図６】
2009153535.tif 000008
【図７】
2009153535.tif 000009
【図８】
2009153535.tif 000010
【図９】
2009153535.tif 000011
【図１０】
2009153535.tif 000012
【図１１】
2009153535.tif 000013